(57)【要約】【課題】ゆかたにおける後身頃を背縫いすることなく、 一枚のゆかた後身頃地によって構成して、ゆかた後身頃の少なくとも一部に後身頃全幅方向にわたって大柄模様をあしらったファッション性に富む絵羽ゆかたを提供すること。【解決手段】身丈寸法に対応する反物幅Ｗ１を有する第１の反物Ｓ１に、該反物の取り型方向Ｘ１に沿って後身頃全幅に対応する後身頃構成域３を連続的に形成してなり、前記後身頃構成域毎に大柄模様をあしらい、該後身頃構成域毎に裁断して得られる一枚のゆかた後身頃地によって、ゆかたの後身頃を構成してなることを特徴とする絵羽ゆかた。【選択図】図２
2005068578.tif 000002
【特許請求の範囲】
【請求項１】
身丈寸法に対応する反物幅Ｗ１を有する第１の反物Ｓ１に、該反物の取り型方向Ｘ１に沿って後身頃全幅に対応する後身頃構成域を連続的に形成してなり、前記後身頃構成域毎に大柄模様をあしらい、該後身頃構成域毎に裁断して得られる一枚のゆかた後身頃地によって、ゆかたの後身頃を構成してなることを特徴とする絵羽ゆかた。
【請求項２】
前記第１の反物Ｓ１における地柄方向１０Ａが、前記第１の反物Ｓ１における取り型方向Ｘ１に直交する方向に形成されているものからなることを特徴とする請求項１に記載の絵羽ゆかた。
【請求項３】
前記後身頃以外のゆかた構成要素の全てが、反物幅Ｗ２でなる第２の反物Ｓ２から得られるゆかた構成要素地からなり、前記第２の反物Ｓ２における地柄方向１０Ｂが、前記第２の反物Ｓ２における取り型方向Ｘ２に沿って形成されているものからなることを特徴とする請求項１に記載の絵羽ゆかた。
【請求項４】
前記後身頃以外のゆかた構成要素が、少なくとも左右一対の前身頃、左右一対の衽、左右一対の袖、衿、共衿および肩布であることを特徴とする請求項３に記載の絵羽ゆかた。
【請求項５】
前記後身頃以外のゆかた構成要素として、一対の腰紐を含むものからなることを特徴とする請求項３または請求項４に記載の絵羽ゆかた。
【請求項６】
身丈寸法に対応する反物幅Ｗ１を有する第１の反物Ｓ１に、該反物の取り型方向Ｘ１に沿って後身頃全幅に対応する後身頃構成域を連続的に形成してなり、前記後身頃構成域毎に大柄模様をあしらい、該後身頃構成域毎に裁断して得られる一枚のゆかた後身頃地を準備する工程と、反物幅Ｗ２を有する第２の反物Ｓ２から前記後身頃以外のゆかた構成要素の全てを各構成域毎にを裁断して、前記ゆかた後身頃地以外の全てのゆかた構成要素地を準備する工程と、前記ゆかた後身頃地並びに当該ゆかた後身頃以外の全てのゆかた構成要素地とを縫着することによって絵羽ゆかたを仕立てる工程とからなることを特徴とする絵羽ゆかたの製造方法。
【発明の詳細な説明】
【技術分野】
【０００１】
この発明は、ファッション性に富むゆかたの構造並びにその製造方法にかかるものであり、特に、ゆかたにおける後身頃を背縫いすることなく、 一枚のゆかた後身頃地によって構成して、ゆかた後身頃の少なくとも一部に後身頃全幅方向にわたって大柄模様をあしらった絵羽ゆかたであり、且つ、その製造方法に関するものである。
【背景技術】
【０００２】
周知のように、従来のゆかたあるいは和装用長着は、特許文献１〜３に記載されているもののように、後身頃が左右一対の後身頃地によって構成されていて、背面の中央縦線に沿って背縫いするような構成のものであった。その具体的な一構成例を、図３各図に基づいて説明する。図３は、従来の典型的なゆかたあるいは長着の一構成例を示すものであり、図３Ａは、ゆかた２１の概略的な正面図、図３Ｂは、その概略的な背面図、図３Ｃは、上記一着のゆかたのための反物の構成例を示す概略的な平面図である（この図３Ｃは、反物の長さ方向の寸法尺度を圧縮して表してある）。
【０００３】
この従来の構成例によれば、ゆかた反物Ｓは、幅寸法Ｗが約３６ｃｍ、長さ寸法Ｌが約１１ｍ４０ｃｍ程度のものからなっており、ゆかた２１の構成要素としての右身頃構成域（右前身頃構成域２２Ａ、右後身頃構成域２３Ａ）、左身頃構成域（左前身頃構成域２２Ｂ、左後身頃構成域２３Ｂ）、右袖構成域２４Ａ、左袖構成域２４Ｂ、右衽構成域２５Ａ、左衽構成域２５Ｂ、共衿構成域２６、衿構成域２７によって構成されている。従来のゆかたは、このゆかた反物Ｓを各構成域毎に裁断して、それぞれ所定の縫着ラインに沿って縫着することによって、図３Ａ、図３Ｂに示すようなゆかたとして仕立てられる。
【０００４】
この従来のゆかた仕立てによれば、図３Ｂにおいて明らかなように、左右一対の後身頃２３Ａ、２３Ｂは、背面の中央縦線２８に沿って背縫いされる。したがって、従来のゆかたでは、背面側に大柄の絵模様をあしらう場合、背縫いされる中央縦線２８において充分な絵柄合わせをする必要があり、多量生産にあっては、左右の絵柄がずれてしまうという大きな問題点を有するものであった。
【０００５】
【特許文献１】実開平６−５４７１０号公報（図１、図２および段落番号００１５）
【特許文献２】特開２００１−１５９００６号公報（図２中、１ｃ、１ｄ）
【特許文献３】登録実用新案第３００８３９１号公報（図１および段落番号００１０）
【発明の開示】
【発明が解決しようとする課題】
【０００６】
そこで、この発明では、上記する従来技術の問題点を解消すべくなしたものであって、特に重要な要素は、ゆかたにおける後身頃を背縫いすることなく、 一枚のゆかた後身頃地によって構成して、ゆかた後身頃の少なくとも一部に後身頃全幅方向にわたって大柄模様をあしらったファッション性に富む絵羽ゆかたを提供するものであり、且つ、その製造方法を提供するものである。
【課題を解決するための手段】
【０００７】
この発明は、上記する目的を達成するにあたって、具体的には、身丈寸法に対応する反物幅を有する第１の反物に、該反物の取り型方向に沿って後身頃全幅に対応する後身頃構成域を連続的に形成してなり、前記後身頃構成域毎に大柄模様をあしらい、該後身頃構成域毎に裁断して得られる一枚のゆかた後身頃地によって、ゆかたの後身頃を構成してなることを特徴とする絵羽ゆかたを構成するものである。
【０００８】
さらに、この発明において請求項２に記載の発明は、請求項１に記載の絵羽ゆかたであって、前記第１の反物における地柄方向が、前記第１の反物における取り型方向に直交する方向に形成されているものからなることを特徴とする。
【０００９】
さらに、この発明において請求項３に記載の発明は、請求項１に記載の絵羽ゆかたであって、前記後身頃以外のゆかた構成要素の全てが、反物幅でなる第２の反物から得られるゆかた構成要素地からなり、前記第２の反物における地柄方向が、前記第２の反物における取り型方向に沿って形成されているものからなることを特徴とする。
【００１０】
さらに、この発明において請求項４に記載の発明は、請求項３に記載の絵羽ゆかたであって、前記後身頃以外のゆかた構成要素が、少なくとも左右一対の前身頃、左右一対の衽、左右一対の袖、衿、共衿および肩布であることを特徴とするものである。
【００１１】
さらにまた、この発明において請求項５に記載の発明は、請求項３または請求項４に記載の絵羽ゆかたであって、前記後身頃以外のゆかた構成要素として、一対の腰紐を含むものからなることを特徴とするものでもある。
【００１２】
さらに、この発明において請求項６に記載の発明は、上記する絵羽ゆかたを製造する製造方法に関するものであり、具体的には、身丈寸法に対応する反物幅を有する第１の反物に、該反物の取り型方向に沿って後身頃全幅に対応する後身頃構成域を連続的に形成してなり、前記後身頃構成域毎に大柄模様をあしらい、該後身頃構成域毎に裁断して得られる一枚のゆかた後身頃地を準備する工程と、反物幅を有する第２の反物から前記後身頃以外のゆかた構成要素の全てを各構成域毎にを裁断して、前記ゆかた後身頃地以外の全てのゆかた構成要素地を準備する工程と、前記ゆかた後身頃地並びに当該ゆかた後身頃以外の全てのゆかた構成要素地とを縫着することによって絵羽ゆかたを仕立てる工程とからなることを特徴とするものである。
【発明の効果】
【００１３】
この発明になる後身頃に大柄模様をあしらった絵羽ゆかたおよびその製造方法によれば、まず第１に、ゆかたの後身頃を背縫いを必要としない一枚のゆかた後身頃地によって構成したものであり、その結果、ゆかたの後身頃に、後身頃全幅にわたる大柄絵模様などを絵柄合わせすることなくあしらうことができ、ファッション性に富んだゆかたを低コストで多量に提供することができ、それらの点において極めて有効に作用するものといえる。
【発明を実施するための最良の形態】
【００１４】
以下、この発明になる後身頃に大柄模様をあしらった絵羽ゆかたおよびその製造方法について、図面に示す具体的な実施例に基づいて詳細に説明する。図１は、この発明になる後身頃に大柄模様をあしらった絵羽ゆかたの具体的な構成例を示すものであり、図１Ａは、当該絵羽ゆかた１の概略的な正面図であり、図１Ｂは、その概略的な背面図である。
【００１５】
一方、図２は、当該絵羽ゆかたのためのゆかた反物の構成例を示すものであって、図２Ａは、当該絵羽ゆかたにおける後身頃を構成するための第１の反物Ｓ１の構成例を示す概略的な平面図であり、図２Ｂは、当該絵羽ゆかたにおける後身頃以外の全てのゆかた構成要素を構成するための第２の反物Ｓ２の構成例を示す概略的な平面図である。
【００１６】
まず、この発明において、図１Ａ並びに図１Ｂに示す絵羽ゆかた１は、図２Ａに示す第１の反物Ｓ１から裁断して得られる後身頃地３と、図２Ｂに示す第２の反物Ｓ２から裁断して得られる後身頃以外のゆかた構成要素地とによって縫着形成されるものである。
【００１７】
前記第１の反物Ｓ１は、身丈寸法に対応する反物幅Ｗ１を有するものからなっており、その反物の取り型方向Ｘ１に沿って後身頃全幅に対応する後身頃構成域３を連続的に形成するものからなっている。この発明において、前記第１の反物Ｓ１における反物幅Ｗ１は、身丈寸法に対応するものであり、約１６２ｃｍ程度である。この寸法Ｗ１は、発注されるユーザーの身丈寸法に応じて適宜に変更して設計される。
【００１８】
加えて、前記第１の反物Ｓ１は、前記後身頃構成域３毎に捺染処理による大柄模様１１が設けられる。この大柄模様１１は、絵画、 図柄、文様、写真、文字あるいは記号など単独またはそれらの組み合わせによって構成されるものであり、ゆかた背面側に背面全幅にわたってあらわすことができる。この第１の反物Ｓ１は、前記後身頃構成域３毎に裁断され、それぞれ一着分のゆかたのためのゆかた後身頃地を構成する。
【００１９】
この第１の反物Ｓ１は、地柄を有しており、その地柄方向１０Ａは、前記第１の反物Ｓ１における取り型方向Ｘ１に直交する方向、すなわち、図２Ａに示す実施例によれば、緯糸方向に沿って形成される。
【００２０】
一方、これに対して、反物幅Ｗ２でなる第２の反物Ｓ２が別途準備される。この第２の反物Ｓ２は、前記後身頃以外のゆかた構成要素のためのものであり、例えば、左右一対の前身頃構成域２Ａ、２Ｂ、左右一対の袖構成域４Ａ、４Ｂ、左右一対の衽構成域５Ａ、５Ｂ、共衿構成域６、衿構成域７、肩布構成域１２並びに必要に応じて一対の腰紐構成域１３Ａ、１３Ｂを有していて、裁断によって前記後身頃以外のゆかた構成要素を形成するものである。
【００２１】
この第２の反物Ｓ２も、地柄を有しており、その地柄方向１０Ｂは、前記第２の反物Ｓ２における取り型方向Ｘ２に沿った方向、すなわち、図２Ｂに示す実施例によれば、経糸方向に沿って形成される。
【００２２】
一方、この発明になる絵羽ゆかたの製造方法は、以下に示す手順によって構成されるものである。まず、ゆかた後身頃３のための第１の反物Ｓ１と、前記ゆかた後身頃以外の全てのゆかた構成要素のための第２の反物Ｓ２とが準備される。前記第１の反物Ｓ１は、身丈寸法に対応する反物幅Ｗ１を有し、該反物の取り型方向Ｘ１に沿って後身頃全幅に対応する後身頃構成域を連続的に形成してなり、前記後身頃構成域毎に大柄模様をあしらい、該後身頃構成域毎に裁断することによって、一枚のゆかた後身頃地３が準備される。
【００２３】
前記第２の反物Ｓ２は、前記後身頃以外のゆかた構成要素、すなわち、左右一対の前身頃構成域２Ａ、２Ｂ、左右一対の袖構成域４Ａ、４Ｂ、左右一対の衽構成域５Ａ、５Ｂ、共衿構成域６、衿構成域７、肩布構成域１２並びに必要に応じて一対の腰紐構成域１３Ａ、１３Ｂを有しており、それぞれの構成域毎に裁断することによって、左右一対の前身頃地、左右一対の袖地、左右一対の衽地、共衿地、衿地、肩布地並びに必要に応じて一対の腰紐地が準備される。
【００２４】
前記第１の反物Ｓ１から裁断することによって得られる一枚のゆかた後身頃地と、前記第２の反物Ｓ２から裁断することによって得られる左右一対の前身頃地、左右一対の袖地、左右一対の衽地、共衿地、衿地、肩布地とを縫着することによって絵羽ゆかた１が仕立てられる。
【図面の簡単な説明】
【００２５】
【図１】図１は、この発明になる後身頃に大柄模様をあしらった絵羽ゆかたの具体的な構成例を示すものであり、図１Ａは、当該絵羽ゆかた１の概略的な正面図であり、図１Ｂは、その概略的な背面図である。
【図２】図２は、当該絵羽ゆかたのためのゆかた反物の構成例を示すものであって、図２Ａは、当該絵羽ゆかたにおける後身頃を構成するための第１の反物Ｓ１の構成例を示す概略的な平面図であり、図２Ｂは、当該絵羽ゆかたにおける後身頃以外の全てのゆかた構成要素を構成するための第２の反物Ｓ２の構成例を示す概略的な平面図である。
【図３】図３は、従来の典型的なゆかたあるいは長着の一構成例を示すものであり、図３Ａは、ゆかた２１の概略的な正面図、図３Ｂは、その概略的な背面図、図３Ｃは、上記一着のゆかたのための反物の構成例を示す概略的な平面図である（この図３Ｃは、反物の長さ方向の寸法尺度を圧縮して表してある）。
【符号の説明】
【００２６】
１  絵羽ゆかた
Ｓ１  第１の反物
Ｓ２  第２の反物
Ｘ１  第１の反物Ｓ１の取り型方向
Ｘ２  第２の反物Ｓ２の取り型方向
２Ａ、２Ｂ  左右一対の前身頃構成域、左右一対の前身頃
３  後身頃構成域、後身頃
４Ａ、４Ｂ  左右一対の袖構成域、左右一対の袖
５Ａ、５Ｂ、左右一対の衽構成域、左右一対の衽
６  共衿構成域、共衿
７  衿構成域、衿
１０Ａ  第１の反物Ｓ１の地柄方向
１０Ｂ  第２の反物Ｓ２の地柄方向
１１  大柄模様
１２  肩布構成域
１３Ａ、１３Ｂ  一対の腰紐構成域
【図１】
2005068578.tif 000003
【図２】
2005068578.tif 000004
【図３】
2005068578.tif 000005